(57)【要約】【課題】アイメイクという新たな付加価値を眼鏡に付与することができる眼鏡レンズを提供する。【解決手段】眼鏡レンズ１の構成として、レンズの光学面２が、瞳孔位置として想定される基準点８を通る垂直基準線Ｖに交差する境界線３により上側の領域４と下側の領域５に区画されている。境界線３は、垂直基準線Ｖにおいて基準点８から上側に所定の距離Ｌだけ離れた位置で垂直基準線Ｖに交差している。下側の領域５は、相対的に濃度が低い低濃度領域となっており、上側の領域４は、相対的に濃度が高い高濃度領域であって、レンズを眼鏡フレームに装着したときにアイシャドウ効果を発揮するように色づけされたアイシャドウ効果発揮部１０を含んでいる。【選択図】図１
2013228700.tif 000002
【特許請求の範囲】
【請求項１】
レンズの光学面が、瞳孔位置として想定される基準点を通る垂直基準線に交差する境界線により上側の領域と下側の領域に区画され、
前記境界線は、前記垂直基準線上において前記基準点よりも上側で当該垂直基準線に交差し、
前記下側の領域は、相対的に濃度が低い低濃度領域であり、
前記上側の領域は、相対的に濃度が高い高濃度領域であって、レンズを眼鏡フレームに装着したときにアイシャドウ効果を発揮するように色づけされたアイシャドウ効果発揮部を含む
ことを特徴とする眼鏡レンズ。
【請求項２】
前記境界線は、前記垂直基準線上において前記基準点から上側に所定の距離だけ離れた位置で当該垂直基準線に交差し、
前記所定の距離は、目を開いた状態で想定される瞳孔位置から上瞼の縁までの距離に応じて設定されている
ことを特徴とする請求項１に記載の眼鏡レンズ。
【請求項３】
前記境界線は、上側に凸をなす円弧状の曲線、又は、前記基準点で前記垂直基準線に直交する水平基準線と平行な直線である
ことを特徴とする請求項１又は２に記載の眼鏡レンズ。
【請求項４】
前記アイシャドウ効果発揮部には、濃度の勾配が設けられ、かつ、前記境界線に近づくにしたがって濃度が薄くなるように又は濃くなるように色づけされている
ことを特徴とする請求項１〜３のいずれか一つに記載の眼鏡レンズ。 
【発明の詳細な説明】
【技術分野】
【０００１】
本発明は、色づけされた眼鏡レンズに関する。
【背景技術】
【０００２】
眼鏡用のレンズは、最終的に眼鏡フレームの枠形状に適合するように加工（以下、「玉型加工」という）される。本明細書では、「玉型加工前のレンズ」と「玉型加工後のレンズ」を区別するために、前者を「眼鏡レンズ」と称し、後者を「玉型レンズ」と称する。一般に眼鏡レンズの外形は円形になっており、これを玉型加工して得られる玉型レンズの外形は眼鏡フレームの枠形状（玉型レンズが装着される部分の形状）に適合する形状になっている。
【０００３】
また、眼鏡レンズの中には、最終製品となる眼鏡のファッション性を高めたり、眼鏡装用時のグレア（眩しさ）を軽減したりするために、レンズの光学面に染色によって色づけしたものや、その色の濃度を連続的に変化させたものがある（たとえば、特許文献１〜３を参照）。
【先行技術文献】
【特許文献】
【０００４】
【特許文献１】特開２０１１−８１２３２号公報
【特許文献２】特開２００８−９３２７号公報
【特許文献３】特開平１０−５６７３号公報
【発明の概要】
【発明が解決しようとする課題】
【０００５】
従来において、眼鏡レンズに色づけする目的は、もっぱら眼鏡そのもののファッション性を高める、あるいはグレアを軽減することにとどまっている。また、アイメイクの効果を代替するような眼鏡レンズはこれまでに提供されていない。
【０００６】
本発明の主な目的は、アイメイクという新たな付加価値を眼鏡に付与することができる眼鏡レンズを提供することにある。
【課題を解決するための手段】
【０００７】
本発明は、眼鏡のファッション性を高めるという発想ではなく、眼鏡のレンズを通してアイメイクするという新たな発想に基づいてなされたものである。
すなわち、本発明の第１の態様は、
レンズの光学面が、瞳孔位置として想定される基準点を通る垂直基準線に交差する境界線により上側の領域と下側の領域に区画され、
前記境界線は、前記垂直基準線上において前記基準点よりも上側で当該垂直基準線に交差し、
前記下側の領域は、相対的に濃度が低い低濃度領域であり、
前記上側の領域は、相対的に濃度が高い高濃度領域であって、レンズを眼鏡フレームに装着したときにアイシャドウ効果を発揮するように色づけされたアイシャドウ効果発揮部を含む
ことを特徴とする眼鏡レンズである。
【０００８】
本発明の第２の態様は、
前記境界線は、前記垂直基準線上において前記基準点から上側に所定の距離だけ離れた位置で当該垂直基準線に交差し、
前記所定の距離は、目を開いた状態で想定される瞳孔位置から上瞼の縁までの距離に応じて設定されている
ことを特徴とする上記第１の態様に記載の眼鏡レンズである。
【０００９】
本発明の第３の態様は、
前記境界線は、上側に凸をなす円弧状の曲線、又は、前記基準点で前記垂直基準線に直交する水平基準線と平行な直線である
ことを特徴とする上記第１又は第２の態様に記載の眼鏡レンズである。
本発明の第４の態様は、
前記アイシャドウ効果発揮部には、濃度の勾配が設けられ、かつ、前記境界線に近づくにしたがって濃度が薄くなるように又は濃くなるように色づけされている
ことを特徴とする上記第１〜第３の態様のいずれか一つに記載の眼鏡レンズである。
【発明の効果】
【００１０】
本発明によれば、アイメイクという新たな付加価値を眼鏡に付与することができる。
【図面の簡単な説明】
【００１１】
【図１】本発明の実施の形態に係る眼鏡レンズの構成を示す正面図である。
【図２】本発明の実施の形態に係る眼鏡レンズの中に目のイメージを重ねた図である。
【図３】本発明の他の実施の形態に係る眼鏡レンズの構成を示す正面図である。
【図４】本発明の変形例の一つを説明する図である。
【図５】眼鏡レンズの境界線を直線とした例を示す図である。
【発明を実施するための形態】
【００１２】
以下、本発明の実施の形態について図面を参照しつつ詳細に説明する。
本発明の実施の形態においては、次の順序で説明を行う。
１．眼鏡レンズの構成
２．実施の形態に係る効果
３．他の実施の形態
４．変形例等
５．付記
【００１３】
＜１．眼鏡レンズの構成＞
図１は本発明の実施の形態に係る眼鏡レンズの構成を示す正面図であり、図２はこの眼鏡レンズの中に目のイメージを重ねた図である。図２においては、本発明の実施の形態に係る眼鏡レンズを用いて製造された眼鏡を装用したときに想定される目のイメージを重ねて表現している。
【００１４】
図示した眼鏡レンズ１は、たとえば、プラスチックレンズであって、光学面２を有している。眼鏡レンズ１の光学面２は、前面側が凸面、後面側が凹面となっている。光学面２は、境界線３によって上側の領域４と下側の領域５に区画されている。眼鏡レンズ１の光学面２内には、人の目６の瞳孔７の中心位置（以下、「瞳孔位置」という）として想定される基準点（仮想点）８が存在する。基準点８は、眼鏡レンズ１が単焦点レンズであれば、その光学中心を示す点となり、眼鏡レンズ１が累進屈折力レンズ又は二重焦点レンズであれば、遠用部のプリズム測定基準点（フィッティングポイント）を示す位置となる。基準点８の位置は、たとえば、光学面２に付されるアライメントマーク（隠しマーク）を用いて特定することが可能である。
【００１５】
ここで、眼鏡の装用時における玉型レンズ９の向きを基準に眼鏡レンズ１の垂直方向（上下方向）と水平方向（左右方向）を規定し、この規定にしたがって垂直基準線Ｖと水平基準線Ｈを規定する。垂直基準線Ｖは、眼鏡レンズ１の基準点８を通る、垂直方向と平行な直線（仮想線）である。水平基準線Ｈは、眼鏡レンズ１の基準点８を通る、水平方向と平行な直線（仮想線）である。このため、垂直基準線Ｖと水平基準線Ｈは、基準点８で互いに直交している。
【００１６】
これに対して、上述した境界線３は、垂直基準線Ｖに交差する円弧状の曲線となっている。さらに詳述すると、境界線３は、垂直基準線Ｖ上において基準点８から上側に所定の距離Ｌだけ離れた位置で垂直基準線Ｖに交差している。ここで記述する「所定の距離Ｌ」は、目６を開いた状態で想定される瞳孔位置から上瞼の縁までの距離に応じて設定されている。所定の距離Ｌは、たとえば、アジア人、欧米人などの「人種別」、大人、子供などの「年代別」、あるいは「個人毎」に決めることが望ましい。一例として、「人種別」に所定の距離Ｌを決める場合、上記の瞳孔位置から上瞼の縁までの距離に関して、アジア人の平均的な距離は４ｍｍ弱であるため、これに応じて所定の距離Ｌを、４ｍｍ弱よりも少し長めの４〜６ｍｍの範囲に設定するとよい。このように所定の距離Ｌを少し長めに設定した場合は、色づけした部分が眼鏡装用者の視野に入りにくくなるため、良好な視野を確保するという点で好ましいものとなる。
【００１７】
また、境界線３は、基準点８の周辺の領域を囲まないように、たとえば、眼鏡レンズ１の光学面２から外れた空間で、かつ垂直基準線Ｖ上に中心をもつ曲率半径Ｒの円弧状の曲線となっている。この境界線３の一端３Ａと他端３Ｂは、それぞれ垂直基準線Ｖから水平方向の一方と他方に大きく離れた眼鏡レンズ１の外周上に存在している。
【００１８】
境界線３は、垂直基準線Ｖ上で上側に凸をなす円弧状の曲線とし、かつ、その曲線の一部を上瞼の縁の形状（いわゆる瞼のカーブ）に沿わせることにより、上瞼の縁の形状を疑似する疑似曲線となっている。人が目６を開いた状態で想定される上瞼の縁の形状の主要部は、おおよそ曲率半径２０〜２５ｍｍの円弧を描くことが分かっている（特開２００１−２８６３４０号公報を参照）。このため、境界線３の曲率半径Ｒをこれにあわせて設定すれば、境界線３を上記の疑似曲線とすることができる。
【００１９】
ただし、後述するアイシャドウ効果を発揮させるうえでは、境界線３が必ずしも上側に凸をなす円弧状の曲線でなくてもよい。具体的には、境界線３が水平基準線Ｈと平行な直線であってもよいし（図５を参照）、水平基準線Ｈに対して適度な傾きをもつ直線であってもよい。またこれ以外にも、境界線３が垂直基準線Ｖ上で僅かに下側に凸をなす円弧状の曲線であってもよい。さらに、境界線３は、緩やかなカーブを描く山形の曲線であってもよい。
【００２０】
上記の境界線３によって区画される２つの領域４，５のうち、上側の領域４は、相対的に濃度が高い高濃度領域（低透過性領域）となっている。上側の領域４には、眼鏡レンズ１を玉型加工して得られる玉型レンズ９を図示しない眼鏡フレームに装着（枠入れ等）したときにアイシャドウ効果を発揮するように色づけされたアイシャドウ効果発揮部１０を含んでいる。ここで記述する「アイシャドウ効果」とは、アイメイク効果の一つであって、眼鏡を装用したときにレンズを通して目６の上瞼の辺りを印象づけて見せる化粧効果をいう。アイシャドウ効果発揮部１０は、上側の領域４の中で少なくとも玉型加工後に玉型レンズ９として残る範囲に含まれる部分である。アイシャドウ効果発揮部１０は、境界線３に近づくにしたがって濃度が薄くなるように色づけされている。したがって、たとえば垂直基準線Ｖ上で上側の領域４の濃度をみると、上から下に向かって濃度が連続的に薄くなるようにグラディエーションがつけられている。
【００２１】
ちなみに、玉型レンズ９として残る範囲は、眼鏡フレームの枠形状およびその枠の大きさによって異なるが、いずれの場合でもアイシャドウ効果発揮部１０は玉型レンズ９の光学面２内でかつ目６の上側の部分に残るように、その位置が設定されている。また、図例では上側の領域４の全体に色をつけているが、これに限らない。たとえば、上側の領域４の中で、眼鏡レンズ１に想定されている最大の玉型レンズの輪郭よりも外側のレンズ部分（玉型加工によって必ず削られる部分）は、色づけされていなくてもよい。つまり、眼鏡レンズ１を玉型加工して得られる玉型レンズ９の状態で、境界線３よりも上側の領域４が上記の高濃度領域となっており、かつ、高濃度領域の全部又は一部がアイシャドウ効果発揮部１０となっていればよい。
【００２２】
眼鏡レンズ１を色づけする方法としては、たとえば、以下に記述するいずれかの方法を採用することが可能である。
（１）浸漬式、昇華式等従来からあるレンズの染色法によって色づけする方法。
（２）色づけしたフィルムを眼鏡レンズ１に貼着する方法。
（３）スプレー法によって色づけする方法。
（４）ペンや筆などを用いた塗布によって色づけする方法。
【００２３】
一方、下側の領域５は、相対的に濃度が低い低濃度領域（高透過性領域）となっている。本実施の形態においては、好ましい例として、下側の領域５が透明な領域となっている。ここで記述する「透明」の概念には、まったく色づけされていない状態のほかに、目視で眼鏡レンズ１を見たときに色づけされていることを認識不可あるいは認識困難な状態も含む。
【００２４】
なお、図例では下側の領域５の全体が透明な領域になっているが、これに限らない。たとえば、下側の領域５の中で、眼鏡レンズ１に想定されている最大の玉型レンズの輪郭よりも外側のレンズ部分は、何らかの目的で濃いマーキング等が施されたり、濃く色づけされたりしていてもよい。つまり、眼鏡レンズ１を玉型加工して得られる玉型レンズ９の状態で、下側の領域５全体が上記の低濃度領域となっていればよい。ただし、玉型レンズ９の状態において、下側の領域５の中に、アイシャドウ効果を阻害しない条件（たとえば、境界線３よりも下側に大きく離れた位置）で濃度の濃い部分が存在してもかまわない。
【００２５】
上記構成からなる眼鏡レンズ１を用いて眼鏡を製造する場合は、図示しない玉型加工機を用いて眼鏡レンズ１を玉型加工する。これにより、玉型レンズ９が得られる。その後、図示しない眼鏡フレームに玉型レンズ９を枠入れ等によって装着する。これにより、眼鏡レンズ１を用いた眼鏡が得られる。
【００２６】
＜２．実施の形態に係る効果＞
本発明の実施の形態においては、眼鏡レンズ１の光学面２を境界線３によって上側の領域４と下側の領域５に区画し、相対的に濃度が高い上側の領域４を、色づけされたアイシャドウ効果発揮部１０として構成している。このため、眼鏡レンズ１を用いた眼鏡を装用した場合に、装用者の目６の上瞼の辺りにアイシャドウ効果発揮部１０によって印象づけることができる。これにより、眼鏡のファッション性を高めるだけでなく、アイメイクという新たな付加価値を眼鏡に付与することができる。したがって、たとえば、眼鏡レンズ１を用いた眼鏡をアイシャドウの代替として使用できるようになるなど、眼鏡レンズ１の新たな使用用途を創出することができる。
【００２７】
また、上記実施の形態においては、眼鏡レンズ１の光学面２内で境界線３に近づくにしたがって濃度が薄くなるようにアイシャドウ効果発揮部１０を色づけした構成になっている。このため、眼鏡レンズ１を用いて製造された眼鏡を装用した場合に、色づけ濃度の濃い部分が瞳孔位置から離れて配置される。したがって、眼鏡装用中に眼鏡の位置が少々ずり落ちても、アイシャドウ効果発揮部１０の高濃度部分が視野に入りにくくなる。よって、眼鏡装用者の視野を良好に保つことができる。
【００２８】
＜３．他の実施の形態＞
図３は本発明の他の実施の形態に係る眼鏡レンズの構成を示す正面図である。
図示した眼鏡レンズ１においては、境界線３の一端３Ａと他端３Ｂを通る仮想直線Ｓが水平基準線Ｈに対して目頭側（図の左側）から目尻側（図の右側）に向かって斜め上方に傾いた形態になっている。水平基準線Ｈに対する仮想直線Ｓの傾き角度θは、人の目６の平均的な傾き（目頭と目尻を結ぶ仮想線の傾き）が１０度であることから（特開２０１０−２９６７４号公報を参照）、これにあわせて傾き角度θを１０度に設定することが望ましい。このような構成を採用した場合は、アイシャドウ効果発揮部１０の境界線３が全体的に仮想直線Ｓと同様の傾きをもつようになるため、目６の傾きにマッチした自然な感じでアイシャドウ効果を発揮させることができる。なお、図例では境界線３が円弧状の曲線となっているが、これに限らず、直線の場合にも同様に適用可能である。
【００２９】
また、眼鏡レンズ１の構成としては、これを用いて製造される眼鏡を装用する個人の情報および当該装用者が選択した眼鏡フレームの情報のうちの少なくとも一方の情報に応じて、境界線３の位置および形状のうちの少なくとも一方を設定したものであってもよい。また、人の目６の大きさや形状は左右で少し異なるため、左右のレンズごとに、境界線３の位置、形状等を設定したものであってもよい。ちなみに、個人の情報には、瞳孔間距離（近用、遠用含む）、アイポイントなどのレイアウト情報、加入度などの処方値などが含まれる。眼鏡フレームの情報には、フレームサイズ、フレーム素材、フレームの色、枠形状などが含まれる。境界線３の位置、形状等には、上述した所定の距離Ｌ、曲率半径、傾き角度θのうちの少なくとも一つが含まれる。
この構成を採用した場合は、個人ごとに適したアイシャドウ効果発揮部１０をもつ眼鏡レンズ１やこれを用いた眼鏡を提供することができる。
【００３０】
＜４．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００３１】
たとえば、境界線３は、上述したように一定の曲率半径Ｒで規定される円弧状の曲線に限らず、図４に示すように、曲率半径Ｒ１，Ｒ２が異なる複数の円弧状の曲線を組み合わせて（つなぎあわせて）、１本の連続した曲線としたものでもよい。この場合は、上述した疑似曲線である境界線３を、目６の上瞼の縁の形状に近づけることができる。このため、より自然な感じで目６の上瞼の辺りを印象づけることができる。
【００３２】
また、アイシャドウ効果発揮部１０は、境界線３に近づくにしたがって濃度が濃くなるように色づけされていてもよい。この場合は、目６の上瞼の縁に沿うように色づけされた部分が強調されるため、より高いアイシャドウ効果が得られる。ただし、アイシャドウ効果発揮部１０は、必ずしも濃度に勾配をつけたものに限らず、均一な濃度で色づけされていてもよい。また、アイシャドウ効果発揮部１０やこれを含む上側の領域４は、複数の異なる色を組み合わせて色づけされていてもよい。たとえば、最も境界線３に近い円弧状の部分は薄紫色とし、それよりも外側の円弧状の部分をピンク色としてもよい。さらに、アイシャドウ効果発揮部１０は、一色又は複数の色を使って模様をつけた形態でもよく、必要に応じて、視野を妨げない位置にラメを入れた形態でもよい。
【００３３】
また、アイシャドウ効果発揮部１０やこれを含む上側の領域４において、濃度の勾配をつける方向は、垂直方向、水平方向、又は斜め方向であってもよい。このうち、水平方向に濃度勾配をつける場合は、鼻側（目頭側）から耳側（目尻側）に向かって徐々に濃度が濃くなるように勾配をつけるとよい。この場合は、鼻側が最も高い濃度となる。ただし、これに限らず、濃度が最も高い部分を、目頭と目尻の中間部（瞳孔位置近傍）に設定してもよいし、耳側に設定してもよい。
【００３４】
また、下側の領域５は、透明な領域に限らず、上記のアイシャドウ効果を阻害しない程度の濃度（薄さ）で色づけされた領域であってもよい。アイシャドウ効果を阻害しない程度の濃度の範囲に関しては、アイシャドウ効果が、境界線３の近傍における上側の領域４と下側の領域５の濃度差又は色差によっても若干変わるため、それらのパラメータに応じて適宜設定すればよい。具体的には、各領域４，５間の濃度差又は色差が相対的に大きい場合は、それに応じて濃度範囲の上限値および下限値をそれぞれ小さくする方向で設定し、逆の場合は大きくする方向で設定すればよい。
【００３５】
また、本発明が適用される眼鏡レンズ１は、プラスチックレンズに限らず、ガラスレンズであってもよい。
【００３６】
＜５．付記＞
以下、本発明の好ましい態様を付記する。
［付記１］
レンズの光学面が、瞳孔位置として想定される基準点を通る垂直基準線に交差する境界線により上側の領域と下側の領域に区画され、
前記境界線は、前記垂直基準線上において前記基準点よりも上側で当該垂直基準線に交差し、
前記下側の領域は、相対的に濃度が低い低濃度領域であり、
前記上側の領域は、相対的に濃度が高い高濃度領域であって、レンズを眼鏡フレームに装着したときにアイシャドウ効果を発揮するように色づけされたアイシャドウ効果発揮部を含む
ことを特徴とする眼鏡レンズ。
【００３７】
［付記２］
前記境界線の一端と他端を通る仮想直線が、前記基準点で前記垂直基準線に直交する水平基準線に対して、目頭側から目尻側に向かって傾いている
ことを特徴とする付記１に記載の眼鏡レンズ。
【００３８】
［付記３］
前記水平基準線に対する前記仮想直線の傾き角度が１０度に設定されている
ことを特徴とする付記２に記載の眼鏡レンズ。
【００３９】
［付記４］
前記アイシャドウ効果発揮部には、濃度の勾配が設けられ、かつ、前記境界線に近づくにしたがって濃度が薄くなるように又は濃くなるように色づけされている
ことを特徴とする付記１〜３のいずれか一つに記載の眼鏡レンズ。
【００４０】
［付記５］
眼鏡を装用する個人の情報および眼鏡フレームの情報のうちの少なくとも一方に応じて、前記境界線の位置および形状のうちの少なくとも一方を設定してなる
ことを特徴とする付記１〜４のいずれか一つに記載の眼鏡レンズ。
【００４１】
［付記６］
前記境界線は、前記垂直基準線上において前記基準点から上側に所定の距離だけ離れた位置で当該垂直基準線に交差し、
前記所定の距離は、目を開いた状態で想定される瞳孔位置から上瞼の縁までの距離に応じて設定されている
ことを特徴とする付記１〜５のいずれか一つに記載の眼鏡レンズ。
【００４２】
［付記７］
前記境界線は、上側に凸をなす円弧状の曲線、又は、前記基準点で前記垂直基準線に直交する水平基準線と平行な直線である
ことを付記１〜６のいずれか一つに記載の眼鏡レンズ。
［付記８］
前記境界線は、上側に凸をなす円弧状の曲線であって、かつ、目を開いた状態で想定される上瞼の縁の形状を疑似する疑似曲線である
ことを特徴とする７に記載の眼鏡レンズ。
【００４３】
［付記９］
付記１〜８のいずれか一つに記載の眼鏡レンズを玉型加工してなる玉型レンズと、
前記玉型レンズを装着してなる眼鏡フレームと、
を備えることを特徴とする眼鏡。
【符号の説明】
【００４４】
１…眼鏡レンズ
２…光学面
３…境界線
４…上側の領域
５…下側の領域
６…目
７…瞳孔
８…基準点
１０…アイシャドウ効果発揮部
【図１】
2013228700.tif 000003
【図２】
2013228700.tif 000004
【図３】
2013228700.tif 000005
【図４】
2013228700.tif 000006
【図５】
2013228700.tif 000007